(57)【要約】【課題】少なくとも柄がプラスチック製のうちわであって、発光素子の発光量の大きい圧電発光うちわ等を提供する。【解決手段】この圧電発光うちわ２は、柄４の先端部６に扇面８を結合して成り、少なくとも柄４がプラスチック製のうちわにおいて、前記柄４に、機械エネルギーを電気エネルギーに変換する圧電素子１６を設け、しかも当該圧電素子１６の少なくとも一部分が前記柄４の先端部６と中央部との間に位置するように設け、かつ当該圧電素子１６から出力される電力によって発光する発光素子１８を前記扇面８に設けている。少なくとも柄４がプラスチック製のうちわは、扇いだときに、柄が竹製や木製の場合と違って、柄４の先端部と中央部との間付近が大きく撓んで変形する。そこに圧電素子１６の少なくとも一部分が位置するように設けているので、圧電素子１６の発電エネルギーを大きくして発光素子１８の発光量を大きくすることができる。【選択図】  図１
2004358054.tif 000002
【特許請求の範囲】
【請求項１】
柄の先端部に扇面を結合して成り、少なくとも柄がプラスチック製のうちわにおいて、前記柄に、機械エネルギーを電気エネルギーに変換する圧電素子を設け、しかも当該圧電素子の少なくとも一部分が前記柄の先端部と中央部との間に位置するように設け、かつ当該圧電素子から出力される電力によって発光する発光素子を前記扇面に設けていることを特徴とする圧電発光うちわ。
【請求項２】
柄の先端部に扇面を結合して成り、少なくとも柄がプラスチック製のうちわにおいて、前記柄を、先端に開口部を有する筒状の取っ手内に収納して、当該柄の前記先端部とは反対側の端部付近を当該取っ手内に設けた固定部で固定し、前記柄に、機械エネルギーを電気エネルギーに変換する圧電素子を設け、しかも当該圧電素子の少なくとも一部分が前記柄の固定部と中央部との間に位置するように設け、かつ当該圧電素子から出力される電力によって発光する発光素子を前記扇面に設けていることを特徴とする圧電発光うちわ。
【請求項３】
前記柄の圧電素子を設けた部分に括れを設けている請求項１または２記載の圧電発光うちわ。
【請求項４】
前記扇面を構成する複数の骨およびそれらを一つに集めて前記柄の先端部に結合する要領域を有していて、この骨および要領域を透明樹脂で一体的に形成しており、かつ前記発光素子をこの要領域に設けて当該発光素子から発した光を前記透明樹脂中に導入するように構成している請求項１、２または３記載の圧電発光うちわ。
【請求項５】
前記扇面を前記柄の先端部に結合する要領域を有していてそれを透明樹脂で形成し、前記扇面を紙またはプラスチックシート等の弾力性を有する素材を用いた１枚のシートで骨を用いずに形成してそれを当該要領域に取り付けており、かつ前記発光素子を当該要領域に設けて当該発光素子から発した光を前記透明樹脂中に導入するように構成している請求項１、２または３記載の圧電発光うちわ。
【請求項６】
前記要領域に、互いに異なる色の光を発する２個以上の前記発光素子を設けている請求項４または５記載の圧電発光うちわ。
【請求項７】
前記要領域に、赤色の光を発する前記発光素子、緑色の光を発する前記発光素子および青色の光を発する前記発光素子を設けている請求項４、５または６記載の圧電発光うちわ。
【請求項８】
人が振ったり叩いたりして応援に使用するものであって空洞部を内部に有する本体部を備える応援グッズにおいて、機械エネルギーを電気エネルギーに変換する圧電素子を振動板の一方端側に片寄らせて取り付けて成る圧電振動ユニットを前記本体部の空洞部内に収納して当該圧電振動ユニットの一方端部を固定し、この圧電振動ユニットの振動方向の両側に、当該圧電振動ユニットの過大な振動を阻止するストッパーを当該圧電振動ユニットから離してそれぞれ設け、かつ前記圧電素子から出力される電力によって発光する発光素子を前記本体部に設けていることを特徴とする圧電発光応援グッズ。
【請求項９】
前記振動板の圧電素子を設けた部分に括れを設けている請求項８記載の圧電発光応援グッズ。
【請求項１０】
前記振動板の他方端である自由端付近に重りを設けている請求項８または９記載の圧電発光応援グッズ。
【請求項１１】
表面に絵柄が表示されていて当該絵柄を避けた所に開口部を有する容器内に、機械エネルギーを電気エネルギーに変換する圧電素子を振動板の一方端側に片寄らせて取り付けて成る圧電振動ユニットを収納して、前記容器内に設けた固定部で当該圧電振動ユニットの一方端部を固定すると共に、当該圧電振動ユニットの振動板の他方端部を前記開口部を通して容器外に出して手押し部を形成しており、かつ前記圧電素子から出力される電力によって発光する複数の発光素子を、前記絵柄の一部を構成するように配置していることを特徴とする圧電発光表示グッズ。
【請求項１２】
機械エネルギーを電気エネルギーに変換する圧電素子を振動板に取り付けて成る圧電振動ユニットと、この圧電素子から出力される電力によって発光する発光素子とを備え、前記圧電振動ユニットの振動板の一方端部を、自然の力によって揺動する揺動体に取り付けていることを特徴とする圧電発光表示グッズ。
【請求項１３】
前記振動板の圧電素子を設けた部分に括れを設けている請求項１１または１２記載の圧電発光表示グッズ。
【発明の詳細な説明】
【０００１】
【発明の属する技術分野】
この発明は、機械エネルギーを電気エネルギーに変換する圧電素子および当該圧電素子から出力される電力によって発光する発光素子を有する圧電発光装置、より具体的には、圧電発光うちわ、圧電発光応援グッズおよび圧電発光表示グッズに関する。ここでグッズとは、小物、雑貨、玩具等を意味する。
【０００２】
【従来の技術】
圧電素子および発光素子を扇面に設けたうちわが、特許文献１に記載されている。
【０００３】
また、振動板に圧電素子および重りを設けた圧電振動ユニットならびに発光素子を踵部に設けた靴が、特許文献２に記載されている。
【０００４】
【特許文献１】
特開平８−５６７２８号公報（段落００１１〜００１９、図３）
【特許文献２】
特開２０００−２２４８７１号公報（段落００２８〜００４０、図１、図４）
【０００５】
【発明が解決しようとする課題】
近年、コスト低減等の観点から、柄が、更に通常は扇面の骨も、プラスチック（合成樹脂）製のうちわが多く製作されている。
【０００６】
このようなうちわに、特許文献１に記載の技術を適用しても、発光素子の発光量が小さいことが分かった。これは、うちわを扇いだときに扇面の圧電素子に加わる力が小さく、圧電素子の発電エネルギーが小さいからである。
【０００７】
そこでこの発明は、このような点を改善して、少なくとも柄がプラスチック製のうちわであって、発光素子の発光量の大きい圧電発光うちわを提供することを一つの目的としている。
【０００８】
また、前記特許文献２に記載の技術を、人が振ったり叩いたりして応援に使用する応援グッズに適用することを試みたけれども、圧電振動ユニットが壊れやすいことが分かった。これは、応援グッズを強く振ったり叩いたりした瞬間に、圧電振動ユニットに非常に大きな力が加わって、圧電振動ユニットが過大に振動するからである。
【０００９】
そこでこの発明は、このような点を改善して、圧電振動ユニットが壊れにくい圧電発光応援グッズを提供することを他の目的としている。
【００１０】
また、この発明は、圧電素子および発光素子を有していて、視覚的な美しさの演出効果を出すことのできる圧電発光表示グッズを提供することを更に他の目的としている。
【００１１】
【課題を解決するための手段】
この発明に係る圧電発光うちわの一つは、柄の先端部に扇面を結合して成り、少なくとも柄がプラスチック製のうちわにおいて、前記柄に、機械エネルギーを電気エネルギーに変換する圧電素子を設け、しかも当該圧電素子の少なくとも一部分が前記柄の先端部と中央部との間に位置するように設け、かつ当該圧電素子から出力される電力によって発光する発光素子を前記扇面に設けていることを特徴としている（請求項１に対応）。
【００１２】
上記構成によれば、少なくとも柄がプラスチック製のうちわは、扇いだときに、柄が竹製や木製の場合と違って、柄の先端部と中央部との間付近が大きく撓んで変形する。そこに圧電素子の少なくとも一部分が位置するように設けているので、圧電素子の発電エネルギーを大きくして発光素子の発光量を大きくすることができる。
【００１３】
この発明に係る圧電発光うちわの他の一つは、柄の先端部に扇面を結合して成り、少なくとも柄がプラスチック製のうちわにおいて、前記柄を、先端に開口部を有する筒状の取っ手内に収納して、当該柄の前記先端部とは反対側の端部付近を当該取っ手内に設けた固定部で固定し、前記柄に、機械エネルギーを電気エネルギーに変換する圧電素子を設け、しかも当該圧電素子の少なくとも一部分が前記柄の固定部と中央部との間に位置するように設け、かつ当該圧電素子から出力される電力によって発光する発光素子を前記扇面に設けていることを特徴としている（請求項２に対応）。
【００１４】
上記構成によれば、少なくとも柄がプラスチック製のうちわは、扇いだときに、柄が竹製や木製の場合と違って、取っ手内において柄の固定部と中央部との間付近が大きく撓んで変形する。そこに圧電素子の少なくとも一部分が位置するように設けているので、圧電素子の発電エネルギーを大きくして発光素子の発光量を大きくすることができる。
【００１５】
この発明に係る圧電発光応援グッズの一つは、人が振ったり叩いたりして応援に使用するものであって空洞部を内部に有する本体部を備える応援グッズにおいて、機械エネルギーを電気エネルギーに変換する圧電素子を振動板の一方端側に片寄らせて取り付けて成る圧電振動ユニットを前記本体部の空洞部内に収納して当該圧電振動ユニットの一方端部を固定し、この圧電振動ユニットの振動方向の両側に、当該圧電振動ユニットの過大な振動を阻止するストッパーを当該圧電振動ユニットから離してそれぞれ設け、かつ前記圧電素子から出力される電力によって発光する発光素子を前記本体部に設けていることを特徴としている（請求項８に対応）。
【００１６】
上記構成によれば、本体部を強く振ったり叩いたりした瞬間の圧電振動ユニットの過大な振動がストッパーによって阻止されるので、圧電振動ユニットが壊れにくくなる。
【００１７】
この発明に係る圧電発光表示グッズの一つは、表面に絵柄が表示されていて当該絵柄を避けた所に開口部を有する容器内に、機械エネルギーを電気エネルギーに変換する圧電素子を振動板の一方端側に片寄らせて取り付けて成る圧電振動ユニットを収納して、前記容器内に設けた固定部で当該圧電振動ユニットの一方端部を固定すると共に、当該圧電振動ユニットの振動板の他方端部を前記開口部を通して容器外に出して手押し部を形成しており、かつ前記圧電素子から出力される電力によって発光する複数の発光素子を、前記絵柄の一部を構成するように配置していることを特徴としている（請求項１１に対応）。
【００１８】
上記構成によれば、人が手押し部を押して圧電振動ユニットに振動または衝撃を与えることによって、その振動等に応じて圧電素子から電力が出力されて、絵柄の一部を構成するように配置されている複数の発光素子が発光するので、視覚的な美しさの演出効果を出すことができる。
【００１９】
この発明に係る圧電発光表示グッズの他の一つは、機械エネルギーを電気エネルギーに変換する圧電素子を振動板に取り付けて成る圧電振動ユニットと、この圧電素子から出力される電力によって発光する発光素子とを備え、前記圧電振動ユニットの振動板の一方端部を、自然の力によって揺動する揺動体に取り付けていることを特徴としている（請求項１２に対応）。
【００２０】
上記構成によれば、揺動体が風の流れや水の流れ等の自然の力によって揺動すると、その揺動に応じて圧電振動ユニットに力が加わって、圧電素子から電力が出力されて発光素子が発光するので、視覚的な美しさの演出効果を出すことができる。
【００２１】
【発明の実施の形態】
［圧電発光うちわ］
図１は、この発明に係る圧電発光うちわの一実施形態を示す正面図である。この圧電発光うちわ２は、基本的には、柄４の先端部６に扇面８を結合して成り、少なくとも柄４がプラスチック（合成樹脂）製のうちわである。柄４がプラスチック製の場合は、扇面８を構成する複数の骨１０およびそれらを一つにまとめて柄４の先端部６に結合する要領域１２も、通常はプラスチック製であるが、これら１０、１２の材質は必ずしもプラスチックでなくても良い。プラスチックでなくても、この発明の作用効果を奏するからである。
【００２２】
この圧電発光うちわ２では、柄４に、機械エネルギーを電気エネルギーに変換する圧電素子１６を設けている。しかも、当該圧電素子１６の少なくとも一部分が、柄４の先端部６と中央部との間に位置するように設けている。更に、この圧電素子１６から出力される電力によって発光する発光素子１８を、その光が外から見えるように扇面８に設けている。
【００２３】
発光素子１８は、例えば発光ダイオード（ＬＥＤ）であるが、それ以外のものでも良い。発光素子１８の数は、１以上で任意である。後述する他の実施形態においても同様である。発光素子１８を扇面８に設ける位置は、図１の例のように要領域１２でも良いし、扇面８の周縁部等でも良く、任意である。
【００２４】
圧電素子１６は、図２または図３に示すように、圧電基板１６１の両主面に電極１６２、１６３を形成して成る。圧電素子１６は、柄４（または後述する振動板３６）の一方面のみに設けて、いわゆるユニモルフ構造にしても良いし、柄４（または後述する振動板３６）の両面に設けて、いわゆるバイモルフ構造にしても良い。後述する他の実施形態においても同様である。ユニモルフ構造は、構造が単純であるという特長を有している。バイモルフ構造は、発電量をユニモルフ構造の約２倍程度に増大させることができ、ひいては発光素子１８の発光量を増大させることができるという特長を有している。本願の実施形態では、図４、図１０〜図１３等に示すように、基本的にバイモルフ構造を採用している。なお、圧電素子１６が露出しないように、圧電素子１６の表面を樹脂等で覆っておいても良い。他の実施形態においても同様である。
【００２５】
圧電素子１６がユニモルフ構造の場合の発光素子１８との配線図の例を図２に示し、バイモルフ構造の場合の例を図３に示す。これらの配線図は、発光素子１８の部分以外は、後述する他の実施形態にも共通しているので、ここで一括して説明する。バイモルフ構造の場合の結線の仕方は、図３（および後述する図７〜図９等）に示すように二つの圧電素子１６を並列接続する並列型でも良いし、二つの圧電素子１６を直列接続する直列型でも良い。但し、圧電素子１６の出力電圧は一つでも十分に高いので、並列型の方が好ましく、本願の実施形態では基本的に並列型を採用している。圧電素子１６と発光素子１８との具体的な配線は、例えば配線パターン、リード線、スルーホール等の公知の配線手段によって行えば良いので、図１、図４、図１０〜図１３等の構造図では図示を省略している。
【００２６】
上記圧電発光うちわ２における作用を説明すると、上記圧電発光うちわ２は、通常のうちわと同様、通常は、柄４の中央部付近１４を手で持って扇ぐことになる。そのとき、この圧電発光うちわ２は少なくとも柄４がプラスチック製であるので、扇いだときに、柄４が竹製や木製の場合と違って、柄４の先端部（即ち扇面８との結合部）６と中央部との間付近が大きく撓んで変形する。そこに圧電素子１６の少なくとも一部分が位置するように設けているので、圧電素子１６には従来例に比べて大きな応力が加わり、圧電素子１６の発電エネルギー（換言すれば発電電力量。以下同じ）を大きくして発光素子１８の発光量を大きくすることができる。また、発光素子１８は、扇面８の振動に同期して点滅するので、視覚的に興味深い効果を出すことができる。
【００２７】
なお、圧電素子１６は、そのできるだけ多くの部分が、好ましくはそのほぼ全体が、上記柄４の先端部６と中央部との間に位置するように設けるのが好ましい。そのようにすると、圧電素子１６に力をより効果的に加えて、その発電量をより大きくすることができるからである。
【００２８】
次に、図４に示す圧電発光うちわ２を、図１に示した実施形態との相違点を主体に説明する。この図４に示す圧電発光うちわ２は、上記のような少なくとも柄４がプラスチック製のうちわの柄４を、先端に開口部２２を有する筒状の取っ手（ケースとも言うことができる）２０内に収納して、柄４の先端部６とは反対側の端部７付近を、取っ手２０内に設けた固定部２４で固定した構造をしている。そして、柄４に圧電素子１６を設け、しかも当該圧電素子１６の少なくとも一部分が、柄４の固定部（固定部２４による固定部分）と中央部との間に位置するように設けている。このとき、固定部２４は、図４に示す例のように圧電素子１６の端部を押さえていても良いし、圧電素子１６の端部から離していても良い。
【００２９】
圧電発光うちわ２を扇ぐ方向Ａにおける開口部２２の寸法は、即ち同方向Ａにおける取っ手２０の先端部内壁２１と柄４との間の距離は、うちわ２を扇ぐときに柄４の振幅が適切なものになるように設定すれば良い。
【００３０】
発光素子１８については、前記と同様であるので、ここでは重複説明を省略する。
【００３１】
上記圧電発光うちわ２は、取っ手２０を持って扇ぐことになる。そのとき、この圧電発光うちわ２は少なくとも柄４がプラスチック製であるので、扇いだときに、柄４が竹製や木製の場合と違って、取っ手２０内において柄４の固定部と中央部との間付近が大きく撓んで変形する。そこに圧電素子１６の少なくとも一部分が位置するように設けているので、圧電素子１６には従来例に比べて大きな応力が加わり、圧電素子１６の発電エネルギーを大きくして発光素子１８の発光量を大きくすることができる。
【００３２】
しかも、扇ぐときの柄４の振動の支点が固定部２４によって一義的に決まり、取っ手２０を持つ位置は左右されないので、うちわを扇ぐときの力を圧電素子１６に効率良く伝えることができる。その結果、圧電素子１６の発電エネルギーをより増大させて、発光素子１８の発光量をより増大させることができる。
【００３３】
また、取っ手２０の開口部２２は、うちわの振幅を制限するストッパーとして機能するので、人が過大な力で扇いだ場合でも、圧電素子１６の破損を防止することができる。
【００３４】
なお、圧電素子１６は、そのできるだけ多くの部分が、好ましくはそのほぼ全体が、上記柄４の固定部と中央部との間に位置するように設けるのが好ましい。そのようにすると、圧電素子１６に力をより効果的に加えて、その発電量をより大きくすることができるからである。
【００３５】
図５に示す実施形態のように、上記柄４の圧電素子１６を設けた部分に括れ（くびれ）２６を設けても良い。そのようにすれば、圧電発光うちわ２を扇ぐ際に、圧電素子１６の部分に応力が集中するので、圧電素子１６の発電エネルギーをより増大させて、発光素子１８の発光量をより増大させることができる。
【００３６】
図６に示す実施形態のように、前記複数の骨１０および要領域１２を透明樹脂で一体的に形成し、かつ、前記発光素子１８をこの要領域１２に設けて、発光素子１８から発した光を当該透明樹脂中に導入するようにしても良い。透明樹脂は、例えば、ポリカーボネート樹脂、アクリル樹脂、ポリエチレンテレフタレート樹脂等である。発光素子１８から発した光を透明樹脂中に導入する手段として、発光素子１８の一部分または全体を透明樹脂中に嵌め込んでも良いし、埋め込んでも良い。そのようにすれば、発光素子１８から発した光を透明樹脂中に効率良く導入することができる。
【００３７】
なお、発光素子１８の数は、図６に示す３個に限定されるものではない。また、柄４を要領域１２等と透明樹脂で一体的に形成するか否かは任意である。
【００３８】
上記図６の実施形態によれば、発光素子１８から発した光は、透明樹脂中を通過して、要領域１２の先端１２ａまたは各骨１０の先端１０ａから外部に放出され、当該先端１２ａ、１０ａが光って見えるので、視覚的な美しさの演出効果をより増大させることができる。
【００３９】
また、透明樹脂で形成された骨１０や要領域１２の一部分または全部に亘って、その表面に凹凸（凹、凸または両者）を形成しておいても良い。この凹凸で模様や絵柄を形成しておいても良い。このような凹凸を形成しておくと、凹凸の部分で光が反射して表面に放出され凹凸の部分が光って見えるので、視覚的な美しさの演出効果をより増大させることができる。
【００４０】
前記発光素子１８を発光ダイオードで構成して、扇面８に２個以上の発光ダイオードを設けても良い。その場合、図７に示す例のように、２個の発光ダイオード１８ａと１８ｂを互いに逆向きに並列接続しても良い。そのようにすると、圧電発光うちわ２を扇いだときに発光ダイオード１８ａと１８ｂとが交互に光る。
【００４１】
図８に示す例のように、２個の発光ダイオード１８ｃ、１８ｄを互いに同方向に直列接続し、２個の発光ダイオード１８ｅ、１８ｆを互いに同方向に直列接続し、両ダイオード列を互いに逆向きに並列接続しても良い。そのようにすると、圧電発光うちわ２を扇いだときに、発光ダイオード１８ｃ、１８ｄと発光ダイオード１８ｅ、１８ｆとが交互に光る。
【００４２】
図９に示す例のように、３個の発光ダイオード１８ｇ、１８ｈ、１８ｉを互いに同方向に直列接続し、３個の発光ダイオード１８ｊ、１８ｋ、１８ｌを互いに同方向に直列接続し、両ダイオード列を互いに逆向きに並列接続しても良い。そのようにすると、圧電発光うちわ２を扇いだときに、発光ダイオード１８ｇ、１８ｈ、１８ｉのグループと発光ダイオード１８ｊ、１８ｋ、１８ｌのグループとが交互に光る。
【００４３】
図６に示した、複数の骨１０および要領域１２を透明樹脂で一体的に形成した実施形態において、要領域１２に、互いに異なる色の光を発する２個以上の発光素子１８を設けても良い。そのようにすると、要領域１２および各骨１０の部分において発光色が様々な割合で混合されるので、多くの色を発光させて、美しさの演出効果を増大させることができる。この場合、各発光素子１８を発光ダイオードで構成して、図７〜図９に示した接続の仕方を採用しても良い。
【００４４】
同様に図６に示した実施形態において、要領域１２に、赤色の光を発する発光素子１８、緑色の光を発する発光素子１８および青色の光を発する発光素子１８を設けても良い。そのようにすると、要領域１２および各骨１０の部分において３色（３原色）の発光色が様々な割合で混合されるので、虹色のように多くの色を発光させて、美しさの演出効果をより増大させることができる。この場合、各発光素子１８を発光ダイオードで構成して、図９に示した接続の仕方を採用しても良い。例えば、発光ダイオード１８ｇ、１８ｊの発光色を赤、発光ダイオード１８ｈ、１８ｋの発光色を緑、発光ダイオード１８ｉ、１８ｌの発光色を青とすれば、圧電発光うちわ２を扇いだときに発光ダイオード１８ｇ、１８ｈ、１８ｉの３原色グループと発光ダイオード１８ｊ、１８ｋ、１８ｌの３原色グループとが交互に光る。
【００４５】
また、図６に示した実施形態の変形例として、前記要領域１２を透明樹脂で形成し、前記扇面８を紙またはプラスチックシート等の柔らかくて弾力性を有する素材を用いた１枚のシート（薄板）で骨を用いずに形成してそれを当該要領域１２の先端部に取り付け（例えば挟み込んで取り付け）、かつ、前記発光素子１８を当該要領域１２に設けて当該発光素子１８から発した光を前記透明樹脂中に導入するように構成しても良い。そのようにすれば、発光素子１８から発した光は、要領域１２を形成する透明樹脂中を通過して要領域１２のこの例では円弧状をした先端１２ａから外部に放出され、当該円弧状をした先端１２ａが光って見えるので、視覚的な美しさをより増大させることができる。かつ、扇面８は、１枚のシートで骨を用いずに形成していて要領域１２に比べて柔らかいため、うちわを扇いだ際に、柄４および要領域１２部分のスイングに対して、扇面８のスイングが遅れて付いてくるので、発生する風が柔らかく、心地よい感覚を与える。
【００４６】
図６の実施形態の所で述べた、要領域１２を形成する樹脂の例、要領域１２の表面への凹凸の形成、要領域１２への発光素子１８の設け方、当該発光素子１８の数、構成、発光色、電気的配線の仕方等については、この変形例においても適用することができる。
【００４７】
図１に示した圧電発光うちわ２に一定の振動エネルギーを与えた際の圧電素子１６の発電電力量（電圧×電流×時間）を測定した。これを、圧電素子１６が一つのユニモルフ構造の場合（実施例１）、圧電素子１６が二つのバイモルフ構造の場合（実施例２）、更に柄４に括れ２６を設けた場合（実施例３）について行った。その発電電力量の比率を表１に示す。後の実施例ほど発電電力量が大きくなることが確かめられた。
【００４８】
【表１】
2004358054.tif 000003
【００４９】
［圧電発光応援グッズ］
図１０〜図１３は、人が振ったり叩いたりして応援に使用するものであって空洞部３４、３４ａ、３４ｂを内部に有する本体部３２、３２ａ、３２ｂを備える圧電発光応援グッズ３０の実施形態をそれぞれ示すものである。
【００５０】
図１０は、バット型の圧電発光応援グッズ３０を示すものであり、前記圧電素子１６を振動板３６の一方端側に片寄らせて取り付けて成る圧電振動ユニット３５を、前記本体部３２の空洞部３４内に収納して、当該圧電振動ユニット３５の一方端部（圧電素子１６を片寄らせた側の端部）を固定部３８で固定している。振動板３６は、弾性を有しており、この例では短冊状をしている。この振動板３６を、導電性の金属板で形成して、圧電素子１６等の電気的接続に兼用しても良い。圧電発光応援グッズ３０では、固定部３８と圧電素子１６の端部とは少し離しておくのが好ましい。圧電素子１６に強い屈曲力が加わって損傷するのを防止するためである。他の実施形態においても同様である。
【００５１】
また、前記圧電振動ユニット３５の矢印Ｂに示す振動方向（即ち振動板３６の板厚方向の振動方向）の両側に、当該圧電振動ユニット３５の過大な振動を防止するストッパー４０を当該圧電振動ユニット３５から離してそれぞれ設けている。この離す距離は、圧電発光応援グッズ３０を振ったり叩いたりした瞬間の後に圧電振動ユニット３５が自由振動（慣性振動）する当該振動を阻害しない距離にしている。後述する他の実施形態においても同様である。各ストッパー４０は、この例では空洞部３４内に突出させている。
【００５２】
更に、圧電素子１６から出力される電力によって発光する発光素子１８を、その光が外から見えるように本体部３２に設けている。この発光素子１８の数、構成、配線の仕方等は、前記と同様である。また、発光素子１８の一部分または全部を、本体部３２内に埋め込んでも良い。但し、光は外に出るようにしておく。このようにすると、発光素子１８が外れたり壊れたりしにくくなる。これらの事項は、後述する他の実施形態においても同様である。
【００５３】
この圧電発光応援グッズ３０における作用を説明すると、スポーツの観戦等の応援時に、この圧電発光応援グッズ３０を取っ手３１の部分で手に持って振ったり叩いたりすると、圧電振動ユニット３５が振動し、その振動による力が圧電素子１６に加わって圧電素子１６が発電し、その電力によって発光素子１８が発光する。この発光によって、応援時の連帯感、満足感等を一層高めることができる。
【００５４】
また、この圧電振動ユニット３５では、圧電素子１６を振動板３６の一方端側（固定端側）に片寄らせて取り付けており、圧電素子１６を取り付けている付近が主に屈曲して圧電素子１６に振動力を効率良く加えることができるので、圧電素子１６の発電エネルギーを大きくして発光素子１８の発光量を大きくすることができる。
【００５５】
しかも、人が応援に熱中する等して本体部３２を強く振ったり強く叩いたりしても、その瞬間の圧電振動ユニット３５の過大な振動がストッパー４０によって阻止されるので、圧電振動ユニット３５が壊れにくくなる。
【００５６】
また、圧電発光応援グッズ３０を振ったり叩いたりした瞬間の後は、圧電振動ユニット３５は自由振動するので、振動持続時間が長く、従って視覚的に発光素子１８の発光量が多く見えるという効果も得られる。
【００５７】
図１４に示す実施形態のように、上記振動板３６の圧電素子１６を設けた部分に括れ（くびれ）２６を設けても良い。そのようにすれば、圧電振動ユニット３５が振動する際に、圧電素子１６の部分に応力が集中するので、圧電素子１６の発電エネルギーをより増大させて、発光素子１８の発光量をより増大させることができる。
【００５８】
また、図１０等に示す実施形態のように、圧電振動ユニット３５を構成する振動板３６の他方端である自由端付近に重り４２を設けても良い。そのようにすれば、重り４２の付加によって圧電振動ユニット３５の振動周期が大きくなると共に振動持続時間が増大するので、発光素子１８の発光時間が増大し、それによって視覚的に発光素子１８の発光量が多く見えるという効果が増大する。
【００５９】
図１１は、メガホン型の圧電発光応援グッズ３０を示すものであり、その構造および作用効果は図１０の圧電発光応援グッズ３０とほぼ同様であるので、重複説明を省略する。
【００６０】
図１２は、２分割メガホン型の圧電発光応援グッズ３０を示すものであり、図１０および図１１の実施形態との相違点を主体に説明すると、この圧電発光応援グッズ３０は、空洞部３４ａ、３４ｂをそれぞれ有する二つの本体部３２ａ、３２ｂが軸部４６で矢印Ｃに示すように開閉可能に結合された構造をしている。この圧電発光応援グッズ３０を取っ手３１の部分で手に持って振ったり叩いたりして、両本体部３２ａ、３２ｂを矢印Ｃ方向に移動させて互いに衝突させて音を出して応援に供する。
【００６１】
この実施形態の場合、一方の本体部３２ａの空洞部３４ａ内に、前記圧電振動ユニット３５、ストッパー４０等を設けている。但し、一方の（この例では内側壁面３３ａに近い内側の）ストッパー４０は、突出したものを設けずに、図１３に示す実施形態のように、本体部３２ａの内側壁面３３ａに兼ねさせても良い。また、両本体部３２ａ、３２ｂが閉じたときに圧電振動ユニット３５の先端部が両本体部３２ａ、３２ｂの内側壁面に当たるのを防止するために、この例のように、両内側壁面３３ａ、３３ｂに開口部４４ａ、４４ｂをそれぞれ設けておいても良い。また、発光素子１８は両方の本体部３２ａ、３２ｂに設けても良いし、一方の本体部にのみ設けても良い。
【００６２】
図１３は、拍子体（ひょうしたい）型の圧電発光応援グッズ３０を示すものであり、図１２の実施形態との相違点を主体に説明すると、この圧電発光応援グッズ３０は、二つの本体部３２ａ、３２ｂが固定部３８で結合されており、本体部３２ａ、３２ｂの部材の弾性によって矢印Ｃに示すように開閉する構造をしている。両本体部３２ａ、３２ｂは手型をしていても良い。この圧電発光応援グッズ３０を取っ手３１の部分で手に持って振ったり叩いたりして、両本体部３２ａ、３２ｂを矢印Ｃ方向に移動させて互いに衝突させて音を出して応援に供する。その他の点は図１２の実施形態と同様であるので重複説明を省略する。
【００６３】
図１０に示した圧電発光応援グッズ３０に一定の振動エネルギーを与えた際の圧電素子１６の発電電力量（電圧×電流×時間）を測定した。これを、圧電素子１６が一つのユニモルフ構造の場合（実施例４）、圧電素子１６が二つのバイモルフ構造の場合（実施例５）、更に振動板３６に括れ２６を設けた場合（実施例６）について行った。その発電電力量の比率を表２に示す。後の実施例ほど発電電力量が大きくなることが確かめられた。なお、後述する圧電発光表示グッズ５０においても、表２とほぼ同様の結果が得られた。
【００６４】
【表２】
2004358054.tif 000004
【００６５】
また、図１０に示した圧電発光応援グッズ３０に一定の衝撃力を与えた後に圧電振動ユニット３５を自由振動させたときの振動持続時間を、重り４２の重量を変えて測定した結果を図２２に示す。重り４２を重くすることによって振動持続時間が増大し、０．２秒〜０．６秒という長い振動持続時間、ひいては発光素子１８の発光時間を実現することも可能であることが分かる。同様の結果が、図１１〜図１３に示した圧電発光応援グッズ３０においても得られることは、容易に理解できよう。
【００６６】
［圧電発光表示グッズ］
図１５は、発光素子が虎の絵柄の目の部分を構成している圧電発光表示グッズの例を示す斜視図である。この圧電発光表示グッズ５０は、表面に虎の絵柄５６が表示されていて当該絵柄５６を避けた所に（この例では側面に）開口部５４を有する容器５２を備えている。そして、圧電素子１６を振動板３６の一方端側に片寄らせて取り付けて成る前述したような圧電振動ユニット３５をこの容器５２内に収納して、容器５２内に設けた固定部３８で圧電振動ユニット３５の一方端部（圧電素子１６を片寄らせた側の端部）を固定すると共に、当該圧電振動ユニット３５の振動板３６の他方端部を開口部５４を通して容器５２外に出して手押し部５８を形成している。更に、圧電素子１６から出力される電力によって発光する複数の（この例では２個の）発光素子１８を、絵柄５６の一部を構成するように、より具体的には虎の目の部分を構成するように配置している。
【００６７】
この圧電発光表示グッズ５０によれば、人が手押し部５８を矢印Ｄに示す板厚方向に押して圧電振動ユニット３５に振動または衝撃を与えることによって、圧電振動ユニット３５が屈曲または自由振動し、その振動等によって圧電素子１６から電力が出力されて、虎の目を構成するように配置されている２個の発光素子１８が発光し点滅するので、即ち虎の目が点滅するので、これが虎の絵柄５６の印象を増強することになり、視覚的な美しさの演出効果を出すことができる。換言すれば、珍しい興味深い表示効果を出すことができ、使って楽しいものとなる。
【００６８】
図１６に、上記２個の発光素子１８を発光ダイオードで構成したときの配線図の例を示す。ここでは、２個の発光ダイオード１８を互いに同方向に直列接続している。このようにすると、上記虎の目が同時に点滅する。
【００６９】
容器５２の表面の絵柄５６や発光素子１８の数等は、図１５の実施形態以外のものでも良い。その例を以下に説明する。
【００７０】
図１７の圧電発光表示グッズ５０は、花火の絵柄５６の一部を構成するように、複数の発光素子を、第１の（内側の）グループを構成する発光素子１８ｍと、第２の（外側の）グループを構成する発光素子１８ｎとに分けて配置した実施形態である。
【００７１】
この圧電発光表示グッズ５０も、手押し部５８を上記のように操作することによって、圧電素子１６から電力が出力されて複数の発光素子１８ｍ、１８ｎが発光し点滅するので、これが花火の絵柄５６の印象を増強することになり、視覚的な美しさの演出効果を出すことができる。換言すれば、珍しい興味深い表示効果を出すことができ、使って楽しいものとなる。
【００７２】
図１９に、上記複数の発光素子１８ｍ、１８ｎを発光ダイオードで構成したときの配線図の例を示す。ここでは、第１のグループを構成する複数の発光ダイオード１８ｍを互いに同方向に直列接続し、第２のグループを構成する複数の発光ダイオード１８ｎを互いに同方向に直列接続し、かつ両発光ダイオード列を互いに逆向きに並列接続している。このような構成を図１７の実施形態に採用すると、内側のグループの発光素子（発光ダイオード）１８ｍと外側のグループの発光素子（発光ダイオード）１８ｎとが交互に点滅するので、絵柄５６の動きの表現を付加することができる。即ち、花火が次々に広がって行くような動きを表現することができる。従って、視覚的な美しさの演出効果をより増大させることができる。
【００７３】
なお、一般的に圧電素子１６の出力インピーダンスは高いので、例えば図１９に示す例のように発光素子（発光ダイオード）１８ｍまたは１８ｎの直列数を増大しても、各発光素子１８ｍ、１８ｎの発光特性を低下させないことが確かめられた。これは、複数の発光素子を並列接続するよりも直列接続する方が、負荷インピーダンスが高くなって、圧電素子１６の出力インピーダンスとの整合が取りやすくなるからである。実験によれば、２直列から２５直列程度まで問題なく適用できることが分かった。
【００７４】
図１８の圧電発光表示グッズ５０は、大文字の送り火の絵柄５６ａ、５６ｂの一部を構成するように、複数の発光素子を、大の文字の絵柄５６ａの一部を構成するグループの発光素子１８ｍと、東山の絵柄５６ｂの一部を構成するグループの発光素子１８ｎとに分けて配置した実施形態である。
【００７５】
この圧電発光表示グッズ５０も、手押し部５８を上記のように操作することによって、圧電素子１６から電力が出力されて発光素子１８ｍ、１８ｎが発光し点滅するので、これが大文字の送り火の絵柄５６ａ、５６ｂの印象を増強することになり、視覚的な美しさの演出効果を出すことができる。換言すれば、珍しい興味深い表示効果を出すことができ、使って楽しいものとなる。
【００７６】
この実施形態の場合も、上記複数の発光素子１８ｍ、１８ｎを発光ダイオードで構成して、図１９に示す接続を採用しても良い。そのようにすると、大の文字の絵柄５６ａのグループの発光素子（発光ダイオード）１８ｍと、東山の絵柄５６ｂのグループの発光素子（発光ダイオード）１８ｎとが交互に点滅するので、絵柄に動きの表現を付加することができる。従って、視覚的な美しさの演出効果をより増大させることができる。
【００７７】
上記各圧電発光表示グッズ５０においても、前述したように、圧電振動ユニット３５の振動板３６の圧電素子１６を設けた部分に括れ２６（図１４参照）を設けておいても良く、そのようにすれば、圧電素子１６の発電エネルギーをより増大させて発光素子１８の発光量をより増大させることができる。以下に述べる各圧電発光表示グッズ６０においても同様である（図２１参照）。
【００７８】
なお、上記各圧電発光表示グッズ５０における複数の発光素子１８、１８ｍ、１８ｎの一部または全部を、それが発光したときに絵柄５６、５６ａ、５６ｂの一部を構成するように見えるように配置しておいても良い。例えば、容器５２の絵柄５６、５６ａ、５６ｂを表示している面を透明または半透明にして、当該面の裏側近傍に発光素子１８、１８ｍ、１８ｎを配置しておいても良い。
【００７９】
図２０は、揺動体に取り付けた圧電発光表示グッズの一実施形態を示す斜視図である。この圧電発光表示グッズ６０は、図１５に示したような圧電振動ユニット３５を容器５２内に収納固定し、その圧電振動ユニット３５を構成する振動板３６の一方端部（手押し部５８に相当する端部）を、自然の力によって揺動する揺動体６２に取り付けた構造をしている。容器５２には、圧電振動ユニット３５の圧電素子１６（図に表れていない。図１５等参照）から出力される電力によって発光する複数の発光素子１８を設けている。この圧電発光表示グッズ６０では、容器５２の表面に絵柄を表示しておくか否か、発光素子１８を当該絵柄の一部を構成するように配置するか否かは、任意である。
【００８０】
揺動体６２は、例えば、風の流れや水の流れ等の自然の力によって揺動するものである。より具体例を挙げれば、木の枝や吹き流し等である。
【００８１】
この圧電発光表示グッズ６０によれば、揺動体６２が風の流れや水の流れ等の自然の力によって、矢印Ｅに示す振動板３６の板厚方向に揺動すると、その揺動に応じて圧電振動ユニット３５に振動力が加わって、その力によって圧電素子１６から電力が出力されて発光素子１８が発光し点滅するので、視覚的な美しさの演出効果を出すことができる。換言すれば、不思議な興味深い表示効果を出すことができる。例えば、蛍が点滅しているような効果を出すことができる。
【００８２】
図２１に示す圧電発光表示グッズ６０のように、上記容器５２を設けずに、圧電振動ユニット３５を構成する振動板３６の一方端部を揺動体６２に取り付け、振動板３６の他方端部付近に発光素子１８を取り付けても良い。このようにすれば、構造を簡素化することができる。この圧電発光表示グッズ６０における作用効果は、図２０のものとほぼ同様であるのでここでは重複説明を省略する。
【００８３】
また、上記各圧電発光表示グッズ６０を構成する複数の発光素子１８を発光ダイオードで構成して、それを図１９に示したように二つのグループに分けて接続しても良く、そのようにすれば、揺動体６２が揺動したときに二つのグループの発光素子１８を交互に発光させることができるので、立体感を醸し出す等のより効果的な演出効果を出すことができる。
【００８４】
【発明の効果】
この発明は、上記のとおり構成されているので、次のような効果を奏する。
【００８５】
請求項１に記載の発明によれば、少なくとも柄がプラスチック製のうちわは、扇いだときに、柄が竹製や木製の場合と違って、柄の先端部と中央部との間付近が大きく撓んで変形する。そこに圧電素子の少なくとも一部分が位置するように設けているので、圧電素子の発電エネルギーを大きくして発光素子の発光量を大きくすることができる。
【００８６】
請求項２に記載の発明によれば、少なくとも柄がプラスチック製のうちわは、扇いだときに、柄が竹製や木製の場合と違って、取っ手内において柄の固定部と中央部との間付近が大きく撓んで変形する。そこに圧電素子の少なくとも一部分が位置するように設けているので、圧電素子の発電エネルギーを大きくして発光素子の発光量を大きくすることができる。
【００８７】
しかも、扇ぐときの柄の振動の支点が固定部によって一義的に決まり、取っ手を持つ位置は左右されないので、うちわを扇ぐときの力を圧電素子に効率良く伝えることができる。その結果、圧電素子の発電エネルギーをより増大させて、発光素子の発光量をより増大させることができる。
【００８８】
また、取っ手の開口部は、うちわの振幅を制限するストッパーとして機能するので、人が過大な力で扇いだ場合でも、圧電素子の破損を防止することができる。
【００８９】
請求項３に記載の発明によれば、柄の圧電素子を設けた部分に括れ（くびれ）を設けたことによって、圧電発光うちわを扇ぐ際に、圧電素子の部分に応力が集中するので、圧電素子の発電エネルギーをより増大させて、発光素子の発光量をより増大させることができる、という更なる効果を奏する。
【００９０】
請求項４に記載の発明によれば、発光素子から発した光は、透明樹脂中を通過して、要領域の先端または各骨の先端から外部に放出され、当該先端が光って見えるので、視覚的な美しさの演出効果をより増大させることができる、という更なる効果を奏する。
【００９１】
請求項５に記載の発明によれば、発光素子から発した光は、要領域を形成する透明樹脂中を通過して要領域の先端から外部に放出され、当該先端が光って見えるので、視覚的な美しさをより増大させることができ、かつ要領域に比べて扇面が柔らかいため、うちわを扇いだ際に、柄および要領域部分のスイングに対して、扇面のスイングが遅れて付いてくるので、発生する風が柔らかく、心地よい感覚を与える、という更なる効果を奏する。
【００９２】
請求項６に記載の発明によれば、要領域および各骨の部分において発光色が様々な割合で混合されるので、多くの色を発光させて、美しさの演出効果を増大させることができる、という更なる効果を奏する。
【００９３】
請求項７に記載の発明によれば、要領域および各骨の部分において３色（３原色）の発光色が様々な割合で混合されるので、虹色のように多くの色を発光させて、美しさの演出効果をより増大させることができる、という更なる効果を奏する。
【００９４】
請求項８に記載の発明によれば、当該圧電発光応援グッズを手に持って振ったり叩いたりすると、圧電振動ユニットが振動し、その振動による力が圧電素子に加わって圧電素子が発電し、その電力によって発光素子が発光する。この発光によって、応援時の連帯感、満足感等を一層高めることができる。
【００９５】
また、この圧電振動ユニットでは、圧電素子を振動板の一方端側（固定端側）に片寄らせて取り付けており、圧電素子を取り付けている付近が主に屈曲して圧電素子に振動力を効率良く加えることができるので、圧電素子の発電エネルギーを大きくして発光素子の発光量を大きくすることができる。
【００９６】
しかも、人が応援に熱中する等して本体部を強く振ったり強く叩いたりしても、その瞬間の圧電振動ユニットの過大な振動がストッパーによって阻止されるので、圧電振動ユニットが壊れにくくなる。
【００９７】
また、圧電発光応援グッズを振ったり叩いたりした瞬間の後は、圧電振動ユニットは自由振動するので、振動持続時間が長く、従って視覚的に発光素子の発光量が多く見えるという効果も得られる。
【００９８】
請求項９に記載の発明によれば、振動板の圧電素子を設けた部分に括れ（くびれ）を設けたことによって、圧電振動ユニットが振動する際に、圧電素子の部分に応力が集中するので、圧電素子の発電エネルギーをより増大させて、発光素子の発光量をより増大させることができる、という更なる効果を奏する。
【００９９】
請求項１０に記載の発明によれば、重りの付加によって圧電振動ユニットの振動周期が大きくなると共に振動持続時間が増大するので、発光素子の発光時間が増大し、それによって視覚的に発光素子の発光量が多く見えるという効果が増大する、という更なる効果を奏する。
【０１００】
請求項１１に記載の発明によれば、人が手押し部を押して圧電振動ユニットに振動または衝撃を与えることによって、その振動等に応じて圧電素子から電力が出力されて、絵柄の一部を構成するように配置されている複数の発光素子が発光するので、視覚的な美しさの演出効果を出すことができる。換言すれば、珍しい興味深い表示効果を出すことができ、使って楽しいものとなる。
【０１０１】
請求項１２に記載の発明によれば、揺動体が風の流れや水の流れ等の自然の力によって揺動すると、その揺動に応じて圧電振動ユニットに力が加わって、圧電素子から電力が出力されて発光素子が発光するので、視覚的な美しさの演出効果を出すことができる。換言すれば、不思議な興味深い表示効果を出すことができる。
【０１０２】
請求項１３に記載の発明によれば、振動板の圧電素子を設けた部分に括れ（くびれ）を設けたことによって、圧電振動ユニットが振動する際に、圧電素子の部分に応力が集中するので、圧電素子の発電エネルギーをより増大させて、発光素子の発光量をより増大させることができる、という更なる効果を奏する。
【図面の簡単な説明】
【図１】この発明に係る圧電発光うちわの一実施形態を示す正面図である。
【図２】ユニモルフ構造の圧電素子と発光素子との配線図の例を示す図である。
【図３】バイモルフ構造の圧電素子と発光素子との配線図の例を示す図である。
【図４】この発明に係る圧電発光うちわの他の実施形態を部分的に示す縦断面図であり、図１のＦ−Ｆ断面に相当する。
【図５】うちわの柄に括れを設けた例を部分的に示す正面図である。
【図６】この発明に係る圧電発光うちわの更に他の実施形態を部分的に示す正面図である。
【図７】発光素子として２個の発光ダイオードを設ける場合の配線図の例を示す図である。
【図８】発光素子として４個の発光ダイオードを設ける場合の配線図の例を示す図である。
【図９】発光素子として６個の発光ダイオードを設ける場合の配線図の例を示す図である。
【図１０】バット型の圧電発光応援グッズの一例を示す断面図である。
【図１１】メガホン型の圧電発光応援グッズの一例を示す断面図である。
【図１２】２分割メガホン型の圧電発光応援グッズの一例を示す断面図である。
【図１３】拍子体型の圧電発光応援グッズの一例を示す断面図である。
【図１４】振動板に括れを設けた例を部分的に示す平面図である。
【図１５】発光素子が虎の絵柄の目の部分を構成している圧電発光表示グッズの例を示す斜視図である。
【図１６】図１５の実施形態において発光素子として発光ダイオードを用いる場合の配線図の例を示す図である。
【図１７】発光素子が花火の絵柄の一部を構成している圧電発光表示グッズの例を示す平面図である。
【図１８】発光素子が大文字の送り火の絵柄の一部を構成している圧電発光表示グッズの例を示す平面図である。
【図１９】図１７および図１８の実施形態において発光素子として発光ダイオードを用いる場合の配線図の例を示す図である。
【図２０】揺動体に取り付けた圧電発光表示グッズの一実施形態を示す斜視図である。
【図２１】揺動体に取り付けた圧電発光表示グッズの他の実施形態を示す斜視図である。
【図２２】図１０に示す圧電発光応援グッズを構成する圧電振動ユニットを、重りの重量を変えて自由振動させた際の振動持続時間を測定した結果の一例を示すグラフである。
【符号の説明】
２  圧電発光うちわ
４  柄
８  扇面
１０  骨
１２  要領域
１６  圧電素子
１８  発光素子
２０  取っ手
２６  括れ（くびれ）
３０  圧電発光応援グッズ
３２、３２ａ、３２ｂ  本体部
３５  圧電振動ユニット
３６  振動板
４０  ストッパー
４２  重り
５０  圧電発光表示グッズ
５２  容器
５４  開口部
５６、５６ａ、５６ｂ  絵柄
５８  手押し部
６０  圧電発光表示グッズ
６２  揺動体
【図１】
2004358054.tif 000005
【図２】
2004358054.tif 000006
【図３】
2004358054.tif 000007
【図４】
2004358054.tif 000008
【図５】
2004358054.tif 000009
【図６】
2004358054.tif 000010
【図７】
2004358054.tif 000011
【図８】
2004358054.tif 000012
【図９】
2004358054.tif 000013
【図１０】
2004358054.tif 000014
【図１１】
2004358054.tif 000015
【図１２】
2004358054.tif 000016
【図１３】
2004358054.tif 000017
【図１４】
2004358054.tif 000018
【図１５】
2004358054.tif 000019
【図１６】
2004358054.tif 000020
【図１７】
2004358054.tif 000021
【図１８】
2004358054.tif 000022
【図１９】
2004358054.tif 000023
【図２０】
2004358054.tif 000024
【図２１】
2004358054.tif 000025
【図２２】
2004358054.tif 000026